(57)【特許請求の範囲】
【請求項１】
隣接する折板材の山部どうしが、タイトフレームに固定されている剣先ボルトにより連結されてなる屋根構造体の前記山部に設置され、かつ、前記剣先ボルトを用いて締結固定される屋根上取付具であって、
前記剣先ボルトが挿通する取付孔を有して前記山部に載せ付け可能な底壁と、前記屋根構造体上に装備される屋根上構造物を載せ付ける上面及び前記上面に載せ付けられる前記屋根上構造物を固定するために前記取付孔に対する両側それぞれに設けられる一対の固定部を備える上壁と、
前記折板材の傾斜面に当接又は沿うことにより前記一対の固定部どうしを結ぶ線分の前記山部の長手方向に対する向きを定める姿勢定め部とを備え、
前記姿勢定め部は第１向き定め部分と第２向き定め部分とを有してなり、前記第１向き定め部分が前記傾斜面に当接又は沿い、かつ、前記第２向き定め部分は前記折板材に干渉しない状態では前記線分が軒棟方向に沿う第１姿勢になり、前記第１向き定め部分は前記折板材に干渉せず、かつ、前記第２向き定め部分が前記傾斜面に当接又は沿う状態では前記線分が軒線方向に沿う第２姿勢となるように、前記第１向き定め部分と前記第２向き定め部分とを関係付けて前記姿勢定め部が構成されている屋根上取付具。
【請求項２】
前記姿勢定め部は、前記傾斜面の上端部に沿う斜め角度を有して前記線分の両側それぞれに設けられる一対の傾斜壁でなり、
前記第１姿勢においては、前記一対の傾斜壁それぞれの傾斜内面が前記傾斜面の上端部に当接又は沿い、
前記第２姿勢においては、前記一対の傾斜壁それぞれの互いに対向する内端面が前記傾斜面の上端部に当接又は沿う状態に構成されている請求項１に記載の屋根上取付具。
【請求項３】
前記線分の方向に長い矩形を呈する前記上壁、前記上壁の短手方向の両側それぞれから垂下される一対の下向き側壁、及び前記下向き側壁から外広がり状に下方延長される前記傾斜壁を備える下向きコ字状で板材製の上取付具と、
前記一対の下向き側壁それぞれに沿う状態で前記底壁から立設される一対の上向き側壁及び前記底壁を備える上向きコ字状で板材製の下取付具とを有し、
前記一対の下向き側壁と前記一対の上向き側壁とを、これら両者が嵌合する状態で連結されることにより構成されている請求項２に記載の屋根上取付具。
【請求項４】
前記姿勢定め部は、前記上壁の短手方向の両側のうちのいずれか一方にのみ形成されている請求項２又は３に記載の屋根上取付具。
【請求項５】
前記固定部は、前記屋根上構造物をボルト止めするためのボルト挿通用の装着孔でなり、前記各装着孔は、前記上壁の短手方向に長い長孔に形成されている請求項１〜４のいずれか一項に記載の屋根上取付具。
【発明の詳細な説明】
【技術分野】
【０００１】
本発明は、太陽電池パネル、集熱パネル、化粧用の外装パネルなどの屋根上構造体を、折板屋根などの屋根構造体に設置するための屋根上取付具に関するものである。
詳しくは、隣接する折板材の山部どうしが、タイトフレームに固定されている剣先ボルトにより連結されてなる屋根構造体の山部に設置され、かつ、剣先ボルトを用いて締結固定される屋根上取付具に関する。
【背景技術】
【０００２】
前述の屋根構造体、即ち折板屋根は工場や倉庫、或いは駐車場の屋根構造体として採用されることが多い。そして、近年の省エネ化や個別発電の推進により、折板屋根の上に、太陽電池などの屋根上構造体を敷設することが普及してきている。
例えば、太陽電池パネルを多数敷設する場合、チャンネル材などの長尺フレームの一対又はそれ以上を、屋根上取付具を用いて互いに平行な状態で折板屋根に載置固定し、それら長尺フレームに亘って太陽電池パネルを並べて取り付ける手段が採られる（例えば、特許文献１を参照）。この場合、屋根上取付具は剣先ボルトを用いて折板屋根に固定される。
【０００３】
屋根上取付具に複数の長尺フレームを介して太陽電池パネルを装着する手段では、折板屋根の縦横比率や大きさ、形状など種々の条件やさまざまな工法に対応するために、長尺フレームを屋根の軒線方向に向けて架設する軒線配置手段と、軒棟方向に向けて架設する軒棟配置手段とがある。
これらの手段に用いられる屋根上取付具として、従来では、特許文献２にて開示されるとおり、軒線配置手段用のものと軒棟配置手段用のものとの２種類が用意されている。
【先行技術文献】
【特許文献】
【０００４】
【特許文献１】特開２０１４−１８５４２１
【特許文献２】特開２０１１−１０６０９４
【発明の概要】
【発明が解決しようとする課題】
【０００５】
即ち、特許文献２においては、その図１２や図１８に示されるように、長尺フレームを軒線方向に配置する軒線配置手段の場合に用いられる屋根上取付具（ｄ）と、図２３に示されるように、長尺フレームを軒棟方向に配置する軒棟配置手段の場合に用いられる屋根上取付具（ｅ）との２種類が必要である。
このように、屋根上取付具が２種類存在していると、現場での組付け間違いや部品の調達ミスが生じて混乱や作業遅れを招くおそれがあるとともに、部品管理も煩雑になる不利がある。
【０００６】
本発明の目的は、１種類の構造でありながら、軒線配置手段と軒棟配置手段のいずれにも用いることができるように改善された屋根上取付具を提供する点にある。
【課題を解決するための手段】
【０００７】
請求項１に係る発明は、隣接する折板材１，１の山部４どうしが、タイトフレーム２に固定されている剣先ボルト６により連結されてなる屋根構造体Ｒの前記山部４に設置され、かつ、前記剣先ボルト６を用いて締結固定される屋根上取付具Ｔにおいて、
前記剣先ボルト６が挿通する取付孔１１ａを有して前記山部４に載せ付け可能な底壁１１と、前記屋根構造体Ｒ上に装備される屋根上構造物Ｋを載せ付ける上面１４ａ及び前記上面１４ａに載せ付けられる前記屋根上構造物Ｋを固定するために前記取付孔１１ａに対する両側それぞれに設けられる一対の固定部１４ｂ，１４ｂを備える上壁１４と、
前記折板材１の傾斜面１ａに当接又は沿うことにより前記一対の固定部１４ｂ，１４ｂどうしを結ぶ線分ｘの前記山部４の長手方向Ｐに対する向きを定める姿勢定め部１６とを備え、
前記姿勢定め部１６は第１向き定め部分１７と第２向き定め部分１８とを有してなり、前記第１向き定め部分１７が前記傾斜面１ａに当接又は沿い、かつ、前記第２向き定め部分１８は前記折板材１に干渉しない状態では前記線分ｘが軒棟方向Ｐに沿う第１姿勢になり、前記第１向き定め部分１７は前記折板材１に干渉せず、かつ、前記第２向き定め部分１８が前記傾斜面１ａに当接又は沿う状態では前記線分ｘが軒線方向Ｑに沿う第２姿勢となるように、前記第１向き定め部分１７と前記第２向き定め部分１８とを関係付けて前記姿勢定め部１６が構成されていることを特徴とする。
【０００８】
請求項２に係る発明は、請求項１に記載の屋根上取付具Ｔにおいて、
前記姿勢定め部１６は、前記傾斜面１ａの上端部に沿う斜め角度αを有して前記線分ｘの両側それぞれに設けられる一対の傾斜壁１６Ａ，１６Ａでなり、
前記第１姿勢においては、前記一対の傾斜壁１６Ａ，１６Ａそれぞれの傾斜内面１７，１７が前記傾斜面１ａの上端部に当接又は沿い、
前記第２姿勢においては、前記一対の傾斜壁１６Ａ，１６Ａそれぞれの互いに対向する内端面１８，１８が前記傾斜面１ａの上端部に当接又は沿う状態に構成されていることを特徴とする。
【０００９】
請求項３に係る発明は、請求項２に記載の屋根上取付具Ｔにおいて、
前記線分ｘの方向に長い矩形を呈する前記上壁１４、前記上壁１４の短手方向Ｙの両側それぞれから垂下される一対の下向き側壁１５，１５、及び前記下向き側壁１５から外広がり状に下方延長される前記傾斜壁１６Ａを備える下向きコ字状で板材製の上取付具８と、
前記一対の下向き側壁１５，１５それぞれに沿う状態で前記底壁１１から立設される一対の上向き側壁１２，１２及び前記底壁１１を備える上向きコ字状で板材製の下取付具７とを有し、
前記一対の下向き側壁１５，１５と前記一対の上向き側壁１２，１２とを、これら両者が嵌合する状態で連結されることにより構成されていることを特徴とする。
【００１０】
請求項４に係る発明は、請求項２又は３に記載の屋根上取付具Ｔにおいて、
前記姿勢定め部１６は、前記上壁１４の短手方向Ｙの両側のうちのいずれか一方にのみ形成されていることを特徴とする。
【００１１】
請求項５に係る発明は、請求項１〜４のいずれか一項に記載の屋根上取付具Ｔにおいて、
前記固定部１４ｂは、前記屋根上構造物Ｋをボルト止めするためのボルト挿通用の装着孔でなり、前記各装着孔１４ｂは、前記上壁１４の短手方向Ｙに長い長孔に形成されていることを特徴とする。
【発明の効果】
【００１２】
請求項１の発明によれば、屋根上構造物を屋根構造体の山部上に設けるべく、屋根上取付具を軒棟方向に沿って配置固定する場合でも、軒線方向に沿って配置固定する場合でも、１種類の屋根上取付具を兼用して用いることができる。即ち、第１向き定め部分が傾斜面に当接又は沿う状態で屋根上取付具を山部に取付ければ、屋根上取付具を軒棟方向に沿う姿勢とすることができ、第２向き定め部分が傾斜面に当接又は沿う状態で屋根上取付具を山部に取付ければ、屋根上取付具を軒線方向に沿う姿勢とすることができる。
その結果、屋根上取付具が２種類存在していて、現場での組付け間違いや部品の調達ミスが生じて混乱や作業遅れを招くおそれがあるとともに、部品管理も煩雑になる不利がある、という従来の問題が改善され、１種類の構造でありながら、軒線配置手段と軒棟配置手段のいずれにも用いることができる優れた屋根上取付具を提供することがでる。
【００１３】
請求項２の発明によれば、線分方向に振り分け配置される一対の傾斜壁と、その内端面とで姿勢定め部を形成する手段である。つまり、一対の傾斜壁を設けるだけの経済的な手段により、姿勢定め部を有して請求項１の構成による前記効果を奏する屋根上取付具を提供できる利点がある。
【００１４】
請求項３の発明によれば、上金具と下金具とを嵌合連結するだけの簡単な構造で少ない部品点数（２部品）により、経済的で合理的な手段により屋根上取付具が構成できる。また、下向きコ字状の上金具と、上向きコ字状の下金具との側壁どうしを嵌合して連結することで、強度・剛性に優れる角パイプ状の屋根上取付具として提供できる利点もある。
【００１５】
請求項４の発明によれば、詳しくは実施形態の項にて説明するが、姿勢定め部が、上壁の短手方向の両側のうちのいずれか一方にのみ形成してあるので、剣先ボルトが山部における軒線方向にかなり偏って設けられていても、姿勢定め部と傾斜面とが干渉して取付不能になることがなく、屋根上取付具を軒棟方向に沿う姿勢で良好に取付けることが可能となる利点がある。
【００１６】
請求項５の発明によれば、装着孔を短手方向に長い長孔としてあるので、詳しくは実施形態の項にて説明するが、剣先ボルトの位置が軒棟方向に互いに位置ずれしていても、また、ナット掛けの際の連れ回りにより軒棟方向や軒線方向に対して傾いて屋根上取付具が固定されても、長尺フレームなどの屋根上取付具に載せ付け固定される屋根上構造物を良好にボルト止めできる利点がある。
【図面の簡単な説明】
【００１７】
【図１】屋根上金具の平面図
【図２】屋根上金具の正面図
【図３】屋根上金具の側面図
【図４】上金具を示し、（ａ）は平面図、（ｂ）は正面図
【図５】（ａ）は上金具の側面図、（ｂ）は下金具の側面図
【図６】下金具を示し、（ａ）は平面図、（ｂ）は正面図
【図７】軒線方向の取付例を示す一部切欠きの正面図
【図８】軒線方向の取付例を示す側面方向から見た断面図
【図９】軒棟方向の取付例を示す一部切欠きの正面図
【図１０】軒棟方向の取付例を示す側面方向から見た断面図
【図１１】軒棟方向の施工例を示す上方から見た斜視図
【図１２】片側の向き定め部分による利点を示す作用図
【図１３】長孔により「剣先ボルト位置ずれ不都合」を吸収する様を示す平面図
【図１４】姿勢定め部の別実施形態を示し、（ａ）は正面図、（ｂ）は（ａ）におけるＡ−Ａ線断面図側面図
【発明を実施するための形態】
【００１８】
以下に、本発明による屋根上取付具の実施の形態を、図面を参照しながら説明する。以下において、太陽電池パネル２１、長尺フレーム２０、取付ステー２３などは全て屋根上構造物Ｋである。
【００１９】
屋根上取付具Ｔは、図１〜図３に示すように、折板屋根Ｒの山部に載せ付けられる下金具（下取付具の一例）７と、この下金具７に一対のボルト・ナット９，９により連結固定される上金具（上取付具の一例）８との二つの板金部品によりなり、平面視で矩形を呈する状態に構成されている。ボルト・ナット９は、一例として、ボルト９ａ、ナット９ｂの他、一対の平ワッシャ９ｃ，９ｃ、及びばねワッシャ９ｄを有して構成されている。なお、屋根上取付具Ｔの長手方向（線分ｘ）を線分方向Ｘ、短手方向Ｙを横方向Ｙ、及び上下方向Ｚと各方向を定義するものとする。
【００２０】
ここで、屋根構造体Ｒである折板屋根Ｒとは、図８〜図１１に示すように、折板材１の一群をタイトフレーム２を介して屋根下地３に固定して構成する。折板材１は、山部４と谷部５とを交互に形成した軒棟方向へ長い鋼板製の長尺の成形品からなる。隣接する各折板材１の両側端の山部４どうしを、タイトフレーム２に固定した剣先ボルト６及びナット（符記省略）で連結して、山部４と谷部５とが軒線方向へ連続させることにより、所定形状・大きさの折板屋根Ｒが構成される。
【００２１】
例えば、屋根上取付具Ｔは、図１１に示すように、長尺フレーム２０を介して太陽電池パネル２１を折板屋根Ｒに並べて装備する際に用いられる。図１１では、長尺フレーム２０を折板屋根Ｒの軒棟方向Ｐに沿って山部４に取付けるのに屋根上取付具Ｔを用いており、一対の長尺フレーム２０，２０に跨らせた状態で取付けステー２３を用い、複数の太陽電池パネル２１を並べて敷設することができる。山部４の頂面４ａに載せ付けられる屋根上取付具Ｔは、剣先ボルト６を用いてのナット掛けにより固定される。なお、図１１以外での図示は省略してあるが、山部４の上側には、剣先ボルト６に嵌る防水用のパッキン６ａがある。
【００２２】
さて、下金具７は、図１〜図３、及び図５（ｂ）、図６に示されるように、剣先ボルト６が挿通する取付孔１１ａを有して山部４に載せ付け可能な底壁１１と、ボルト・ナット９を通すための連結孔１２ａの一対を有して底壁１１の両側それぞれから立設される一対の上向き側壁１２，１２とを有して、線分方向Ｘの方向視で上向き開放のコ字状を呈する板金部材に形成されている。一例として、一対の連結孔１２ａ，１２ａは、線分方向Ｘの中央に配置されている。
底壁１１における取付孔１１ａは、パッキン６ａの配置用として円形で若干上方に隆起した上底壁部１１Ａに形成されている。取付孔１１ａは、一例として、底壁１１における線分方向Ｘの中心位置に、剣先ボルト６の径より僅かに大きい径の孔に形成される。
【００２３】
また、上底壁部１１Ａの線分方向Ｘの両側それぞれに、両上向き側壁１２の下部に連なる内向き隆起条１３が形成されている。内向き隆起条１３は、底壁１１の底隆起部１３ａと、各上向き側壁１２の側隆起部１３ｂとからなり、下金具７としての強度や剛性を高める補強作用を発揮している。
この下金具７は、上下方向Ｚの高さ(長さ）とあまり変わらない横方向Ｙの幅（長さ）より、線分方向Ｘの長さが若干長い寸法設定が為されている。
【００２４】
上金具８は、図１〜図３、及び図４、図５（ａ）に示されるように、線分方向Ｘに長い矩形を呈する上壁１４と、上壁１４の短手方向Ｙの両側端から垂下される一対の下向き側壁１５，１５と、いずれか一方の下向き側壁１５の下端に形成される姿勢定め部１６とを有し、線分方向Ｘ視で略下向き開放のコ字状を呈する板金部材に形成されている。
上壁１４は、長尺フレーム２０（屋根上構造物Ｋの一例）を載せ付ける上面１４ａと、長尺フレーム２０をボルト止め固定すべく線分方向Ｘの両側それぞれに形成される一対の装着孔（固定部の一例）１４ｂ、１４ｂを備えている。各装着孔１４ｂは、短手方向Ｙに長い長孔に形成され、かつ、短手方向Ｙの中央に配置されている。
また、上壁１４の線分方向Ｘの中心には、剣先ボルト６にナット掛けするための操作用孔１４ｃが形成されている。操作用孔１４ｃは、線分方向Ｘに長くて大きい長孔で構成されている。
【００２５】
各下向き側壁１５は、ボルト・ナット９を通すための連結孔１５ａの一対を備え、上壁１４と同じ線分方向Ｘの長さを有している。左右の下向き側壁１５，１５の間の間隔は、下金具７の一対の上向き側壁１２，１２の全幅と同じ、或いは極僅かに大きい値とされている。また、例えば、線分方向Ｘの中央において線分方向Ｘに並んで配置される一対の連結孔１５ａ，１５ａの間隔は、下金具７の一対の連結孔１２ａ，１２ａの間隔と等しく設定されている。
【００２６】
姿勢定め部１６は、折板材１の傾斜面１ａに当接又は沿うことにより一対の装着孔１４ｂ，１４ｂそれぞれの中心どうしを結ぶ線分ｘ（＝線分方向Ｘ）の、即ち屋根上取付具Ｔとしての山部４の長手方向である軒棟方向Ｐ（図１１参照）に対する向きを定めるための部位である。
具体的には、姿勢定め部１６は、一方の下向き側壁１５における線分方向Ｘの両側それぞれの部分を、下拡がり状に延設してなる一対の傾斜壁１６Ａ，１６Ａにより構成されている。
【００２７】
各傾斜壁１６Ａは、下向き側壁１５の線分方向Ｘの端から中央域に亘る長さを有しており、その傾斜内面１７は、折板材１の傾斜面１ａの傾斜角度θに近い角度、又は等しい斜め角度αを有していて、後述する第１向き定め部分を形成している。
各傾斜壁１６Ａの線分方向Ｘでの内側の端面である内端面１８は、短手方向Ｙの方向視で下拡がり角βが付けられた傾斜端面に形成されている。下拡がり角βは、傾斜面１ａの傾斜角度θに近い角度、又は等しい角度に設定されており、内端面１８により後述する第２向き定め部分が形成されている。
一対の内端面１８，１８の線分方向Ｘでの間隔は、図２，９に示されるように、数種類の折板屋根形状に対応可能とするために、山部４の幅よりも若干大き目に設定されている。
【００２８】
屋根上取付具Ｔは、図３などに示すように、一対の下向き側壁１５，１５と一対の上向き側壁１２，１２とを、これら両者１２，１５を、上向き側壁１２，１２が内側となる状態で嵌合させ、その嵌合状態で短手方向Ｙに並ぶ４箇所の連結孔１５ａ，１２ａ，１２ａ，１５ａにボルト・ナット９を挿通させて締め付けて、上下の金具８，７を締結一体化して構成されている。なお、一対の上向き側壁１２，１２間に丁度嵌る長さを有してボルト９に外嵌する筒状のスペーサ１０（図３の参照）を設けても良い。
【００２９】
上下の金具８，７は、互いの線分方向Ｘの中心位置を合せた状態でボルト・ナット９連結されており、下金具７の線分方向Ｘの長さは、上金具８の一対の装着孔１４ｂ、１４ｂどうしの間隔よりも若干短い程度に設定されている。上下の金具８，７の一対のボルト・ナット９，９による締結によって、屋根上取付具Ｔは、線分方向Ｘの方向視でボックス形を呈する堅牢な作りとされており、強度・剛性に優れている。
【００３０】
次に、屋根上取付具Ｔの施工例について説明する。本実施形態においては、多数の太陽電池パネルを屋根上取付具Ｔを用いて折板屋根Ｒに敷設する例を挙げる。
【００３１】
（１）軒棟配置手段
太陽電池パネル２１（屋根上構造物Ｋの一例）を軒棟方向Ｐに並べて設ける軒棟配置手段の場合を図７，８に示す。軒棟配置手段では、屋根上取付具Ｔを、その長手方向である線分方向Ｘが折板材１の長手方向である軒棟方向Ｐに向く状態で、剣先ボルト６を用いて山部４に載せ付けて固定する。この場合、傾斜壁１６Ａの傾斜内面１７は、折板材１の傾斜面１ａに若干の隙間を空けて沿う状態になっており、一対の内端面１８，１８の間に入るものは存在していない。太陽電池パネル２１は、軒棟方向Ｐに向く長尺フレーム２０を介して屋根上取付具Ｔに載置固定される。
【００３２】
つまり、軒棟配置手段を採ると屋根上取付具Ｔは、傾斜内面１７が傾斜面１ａに沿い、かつ、宙に浮いた状態の内端面１８は折板材１に干渉しない状態となって、線分ｘが軒棟方向Ｐに沿う第１姿勢になる。そして、チャンネル材や型鋼などでなる長尺フレーム２０を、その長手方向が線分ｘ、即ち軒棟方向Ｐに沿う状態で上面１４ａに載せ付け、装着孔１４ｂに通される固定ボルト（固定ボルト・ナット）１９を用いて長尺フレーム２０を屋根上取付具Ｔに固定する。
図７においては、相隣る長尺フレーム２０，２０の先端部と基端部とが、共に一つの屋根上取付具Ｔにボルト止めされる状態を示している。図示は省略するが、長尺フレーム２０の長手方向での中間部を固定する場合は、一つの屋根上取付具Ｔに２箇所でボルト止めされる。
【００３３】
軒棟配置手段を採る場合、図８に示されるように、屋根上取付具Ｔは、まず、傾斜内面１７が傾斜面１ａに沿う（上金具８の線分方向Ｘが軒棟方向Ｐに沿う）姿勢で山部４の上に配置する。次いで、取付孔１１ａから上方突出している剣先ボルト６にナット２２を締付けて底壁１１を、即ち、屋根上取付具Ｔを折板屋根Ｒ上に締結固定する、という装着作業を行う。
各傾斜内面１７が傾斜面１ａに近接して沿う状態の位置定め部１６の存在により、ナット２２の締付け時に、屋根上取付具Ｔが連れ回りすることが傾斜内面１７と傾斜面１ａとの当接により規制されるとともに、上壁１４の長手方向を軒棟方向Ｐに合せる目印として機能する利点が得られる。
【００３４】
（２）軒線配置手段
太陽電池パネル２１を軒線方向Ｑに並べて設ける軒線配置手段の場合を図９，１０に示す。軒線配置手段では、屋根上取付具Ｔを、その長手方向である線分方向Ｘが折板材１の長手方向に交差する方向である軒線方向Ｑに向く状態で、剣先ボルト６を用いて山部４に載せ付けて固定する。この場合、各傾斜壁１６Ａの内端面１８は、折板材１の傾斜面１ａに若干の隙間を空けて沿う状態になっており、山部４から軒線方向Ｑに張り出す２箇所の傾斜内面１７は宙に浮いた状態になっている。太陽電池パネル２１は、軒線方向Ｑに向く長尺フレーム２０を介して屋根上取付具Ｔに載置固定される。
【００３５】
つまり、軒線配置手段を採ると屋根上取付具Ｔは、宙に浮いた状態の傾斜内面１７は折板材１に干渉せず、かつ、内端面１８が傾斜面１ａに沿う状態となって、線分ｘが軒線方向Ｑに沿う第２姿勢になる。そして、長尺フレーム２０を、その長手方向が線分ｘ、即ち軒線方向Ｑに沿う状態で上面１４ａに載せ付け、装着孔１４ｂを通す固定ボルト１９により長尺フレーム２０は屋根上取付具Ｔに固定される。
図９は、相隣る長尺フレーム２０，２０の先端部と基端部とが、共に一つの屋根上取付具Ｔにボルト止めされる状態を示す。長尺フレーム２０の長手方向での中間部が一つの屋根上取付具Ｔに２箇所でボルト止めされるのは、軒棟配置手段の場合と同じである。
【００３６】
軒線配置手段を採る場合、図９に示されるように、屋根上取付具Ｔは、まず、内端面１８が傾斜面１ａに沿う（上金具８の線分方向Ｘが軒線方向Ｑに沿う）姿勢で山部４の上に配置する。次いで、図１０に示されるように、取付孔１１ａから上方突出している剣先ボルト６にナット２２を締付けて底壁１１を、即ち、屋根上取付具Ｔを折板屋根Ｒ上に締結固定する、という装着作業を行う。
各内端面１８が傾斜面１ａに近接して沿う状態の位置定め部１６の存在により、ナット２２の締付け時に、屋根上取付具Ｔが連れ回りすることが、内端面１８と傾斜面１ａとの当接により規制されるとともに、上壁１４の長手方向を軒線方向Ｑに合せる、又は上壁１４の短手方向Ｙを軒棟方向Ｐに合せる目印として機能する利点が得られる。
【００３７】
次に、屋根上取付具Ｔに施された種々の工夫について説明する。
（１）姿勢定め部１６が、上壁１４の短手方向Ｙの両側のうちのいずれか一方にのみ形成してあるので、剣先ボルト６が山部４における軒線方向Ｑにかなり偏って設けられていても、屋根上取付具Ｔを軒棟方向Ｐに沿う姿勢で良好に取付けることが可能とされている。
即ち、屋根上取付具Ｔをその長手方向（線分方向Ｘ）が軒棟方向Ｐに沿う姿勢で取付けようとするとき（軒棟配置手段）、図１２（ａ）に示すように、剣先ボルト６が山部４の中心から向かって右側にずれており、かつ、そのずれ量がある程度大きい場合には、傾斜壁１６Ａが向かって左にある状態で剣先ボルト６を取付孔１１ａに通して降ろすと、底壁１１が山部４の頂面４ａに到達する前に傾斜壁１６Ａが傾斜面１ａに当接してしまい、取付けが不可になることがある。
【００３８】
その場合には、図１２（ｂ）に示すように、屋根上取付具Ｔを１８０度反転させて傾斜壁１６Ａが向かって右側にくるようにすれば、剣先ボルト６が山部４の左右中心にある正規の場合に比べて、傾斜内面１７と傾斜面１ａとの間隔が広くはなるが、底壁１１を山部４の頂面４ａに当接させての締結固定が行えるものとなる。
従って、一対の下向き側壁１５，１５の両方に傾斜壁１６Ａ（位置定め部１６）を有する構成の屋根上取付具では、上述のように剣先ボルト６が軒線方向Ｑへ所定量以上に位置ずれしていると山部４に取付不可となる場合がある。
【００３９】
これに対して、いずれか一方の下向き側壁１５にのみ位置定め部１６を設ける構成とすれば、剣先ボルト６が軒線方向Ｑへ大きく位置ずれしていても、屋根上取付具Ｔは、その向きを反転することにより折板屋根Ｒの山部４へ取付け可能となる優れものである。
なお、両方の下向き側壁１５それぞれに位置定め部１６を設けていても、位置定め部１６，１６どうしの間隔を山部４の幅よりある程度大きく設定すれば、剣先ボルト６の軒線方向Ｑへの多少の位置ずれは吸収することができる。
【００４０】
（２）屋根上取付具Ｔにおいては、図１，４に示すように、上金具８の上壁１４における一対の装着孔１４ｂ，１４ｂを短手方向Ｙに長い長孔としてあるので、剣先ボルト６が軒棟方向Ｐに正規の位置よりズレて設けられていても、長尺フレーム２０を正規の向きに設定した状態で、屋根上取付具Ｔに載置してのボルト止めが可能とされている。
本来、複数の剣先ボルト６の軒棟方向Ｐの位置は全て揃っているべきであるが、複数の剣先ボルト６のうち、互いに軒棟方向Ｐの位置がずれていることがある。その場合、図１３に示すように、剣先ボルト６にて固定された隣合う屋根上取付具Ｔ，Ｔは、互いに軒棟方向Ｐに位置ずれすることになる。
【００４１】
この場合、上壁１４の装着孔１４ｂが一般的な円形孔であると、屋根上取付具Ｔ，Ｔの上に装備される長尺フレーム２０は軒線方向Ｑに対して若干傾いてボルト止めされるか、或いはボルト止め不可となる不都合が生じる。
しかしながら、各屋根上取付具Ｔの装着孔１４ｂは短手方向Ｙに長い長孔に形成されているので、図１３に示すように、屋根上取付具Ｔ，Ｔの軒棟方向Ｐの位置ずれを吸収しながら、それら屋根上取付具Ｔ，Ｔの上に装着される長尺フレーム２０を、軒線方向Ｑに沿う正規の姿勢を維持しながら各屋根上取付具Ｔ，Ｔにボルト１９止めすることができる。
【００４２】
また、本来、屋根上取付具Ｔは、軒棟方向Ｐ又は軒線方向Ｑに沿って（平行に）山部４に締結固定されるべきであるが、姿勢定め部１６と傾斜面１ａとの間に隙間があると、ナット２２掛けの際に、姿勢定め部１６と傾斜面１ａとが当接するまで連れ回りするおそれがある。例えば、軒棟方向Ｐに対して僅かに傾いて山部４に固定された場合、軒棟方向Ｐに沿う長尺フレーム２０に対して、上壁１４の線分方向Ｘが僅かに傾くことになる。
しかしながら、各装着孔１４ｂは短手方向Ｙに長い長孔に形成されているので、連れ回りによる長尺フレーム２０と装着孔１４ｂとの相対位置ずれを吸収可能となり、良好にボルト止めできる、という利点もある。
【００４３】
〔別実施形態〕
傾斜内面１７や内端面１８は、屋根上取付具Ｔの折板屋根Ｒへの軒棟方向Ｐや軒線方向Ｑに合わせての装着時に、傾斜面１ａに当接せんばかりに隙間の少ない状態に設定しても良い。この場合、剣先ボルト６へのナット２２掛け装着時に、締付けトルクによる屋根上取付具Ｔの連れ回り量（角度）をより小さくすることができる。
【００４４】
姿勢定め部１６は、図１４に示すように、下向き側壁１５の下端を下方に延長する、或いは別部材を溶接やボルト止めで一体化するなどの手段により、傾斜壁１６Ａに代えて一対の垂直な下突壁１６Ａとしても良い。この場合は、下突壁１６Ａの下端内縁１６ａが第１向き定め部分１７に、そして、図１４（ｂ）に示すように、傾斜した内端面１８又は垂下面１６ｂとした場合の下端縁１６ｃが第２向き定め部分１８に相当する。
【００４５】
以上述べたように、本発明は、剣先ボルト６が挿通する取付孔１１ａを有して山部４に載せ付け可能な底壁１１と、屋根構造体Ｒ上に装備される屋根上構造物Ｋを載せ付ける上面１４ａ及び上面１４ａに載せ付けられる屋根上構造物Ｋを固定するために取付孔１１ａに対する両側それぞれに設けられる一対の装着孔１４ｂ，１４ｂを備える上壁１４と、
折板材１の傾斜面１ａに当接又は沿うことにより一対の装着孔１４ｂ，１４ｂどうしを結ぶ線分ｘの山部４の長手方向Ｐに対する向きを定める姿勢定め部１６とを備える。
そして、姿勢定め部１６は第１及び第２向き定め部分１７，１８を有し、第１向き定め部分１７が傾斜面１ａに当接又は沿い、かつ、第２向き定め部分１８は折板材１に干渉しない状態では線分ｘが軒棟方向Ｐに沿う第１姿勢（図８参照）になり、第１向き定め部分１７は折板材１に干渉せず、かつ、第２向き定め部分１８が傾斜面１ａに当接又は沿う状態では線分ｘが軒線方向Ｑに沿う第２姿勢（図１０参照）となるように、第１向き定め部分１７と第２向き定め部分１８とを関係付けて姿勢定め部１６が構成されている。
【００４６】
故に、屋根上構造物Ｋを折板屋根Ｒの上に設けるべく、屋根上取付具Ｔを軒棟方向Ｐに沿って配置固定する場合でも、軒線方向Ｑに沿って配置固定する場合でも、１種類の屋根上取付具Ｔを兼用して用いることができる。その結果、１種類の構造でありながら、軒線配置手段と軒棟配置手段のいずれにも用いることができるように改善された屋根上取付具を提供することができている。従来では、屋根上取付具が２種類存在しており、現場での組付け間違いや部品の調達ミスが生じて混乱や作業遅れを招くおそれがあるとともに、部品管理も煩雑になる不利があったが、それらの不都合が改善されるものとなっている。
【符号の説明】
【００４７】
１          折板材
１ａ        傾斜面
２          タイトフレーム
４          山部
６          剣先ボルト
７          下取付具
８          上取付具
１１        底壁
１１ａ      取付孔
１２        上向き側壁
１４        上壁
１４ａ      上面
１４ｂ      固定部（装着孔）
１５        下向き側壁
１６        姿勢定め部
１６Ａ      傾斜壁
１７        第１向き定め部分（傾斜内面）
１８        第２向き定め部分（内端面）
Ｋ          屋根上構造物
Ｐ          軒棟方向
Ｑ          軒線方向
Ｒ          屋根構造体
Ｔ          屋根上取付具
Ｙ          短手方向
ｘ          線分
α          斜め角度
【要約】
【課題】１種類の構造でありながら、軒線配置手段と軒棟配置手段のいずれにも使用可能となるように改善された屋根上取付具を提供する。
【解決手段】折板材１，１の山部４どうしが剣先ボルト６で連結される折板屋根Ｒの山部４に設置され、剣先ボルト６で締結固定される屋根上取付具Ｔにおいて、剣先ボルト６で固定される底壁１１と、一対のボルト用孔を備える上壁１４と、折板材１の傾斜面１ａに沿うことで向きを定める姿勢定め部１６とを備える。姿勢定め部１６は第１及び第２向き定め部分１８を有し、第１向き定め部分が傾斜面１ａに沿い、かつ、第２向き定め部分１８は折板材１に干渉しない状態では軒棟方向に沿う第１姿勢になり、第１向き定め部分は折板材１に干渉せず、かつ、第２向き定め部分１８が傾斜面１ａに沿う状態では軒線方向Ｑに沿う第２姿勢となるように構成されている。
【選択図】図９【図１】
0005859098.tif 000002
【図２】
0005859098.tif 000003
【図３】
0005859098.tif 000004
【図４】
0005859098.tif 000005
【図５】
0005859098.tif 000006
【図６】
0005859098.tif 000007
【図７】
0005859098.tif 000008
【図８】
0005859098.tif 000009
【図９】
0005859098.tif 000010
【図１０】
0005859098.tif 000011
【図１１】
0005859098.tif 000012
【図１２】
0005859098.tif 000013
【図１３】
0005859098.tif 000014
【図１４】
0005859098.tif 000015